(57)【特許請求の範囲】
【請求項１】
一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側を、先部に至るにつれて拡幅するテーパ面（８）に形成し、
前記雌型連結金具（１１）には、前記連結片（５）が挿入する扁平状の連結片挿入室（１３）を、その両側面が奥に向って拡開するテーパ面（１４）にして形成し、該連結片挿入室（１３）の両側には、該室の前記テーパ面（１４）に沿って前後方向に移動する板状の係止部材（１５）（１６）を設け、更に、該係止部材（１５）（１６）を前方へ付勢する付勢手段（２１）（２２）を設けて、該雌型連結金具（１１）を扁平状に形成し、
前記雄型連結金具（３）の連結片（５）を雌型連結金具（１１）の連結片挿入室（１３）へ挿入することにより、該連結片（５）の両側テーパ面（８）と前記連結片挿入室（１３）の両側テーパ面（１４）間に前記係止部材（１５）（１６）が介在して連結片（５）の抜け外れを阻止するようにしたことを特徴とする連結具。
【請求項２】
一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側をねじ歯様の凹凸（５０）に形成し、
前記雌型連結金具（１１）には、前記連結片（５）が挿入する扁平状の連結片挿入室（１３）を、その両側面が奥に向って拡開するテーパ面（１４）にして形成し、該連結片挿入室（１３）の両側には、該室の前記テーパ面（１４）に沿って前後方向に移動する板状の係止部材（１５）（１６）を設け、該係止部材（１５）（１６）の内側面には前記連結片（５）のねじ歯様の凹凸（５０）に噛合するねじ歯様の凹凸（５１）を形成し、更に、該係止部材（１５）（１６）を前方へ付勢する付勢手段（２１）（２２）を設けて、該雌型連結金具（１１）を扁平状に形成し、
前記雄型連結金具（３）の連結片（５）を雌型連結金具（１１）の連結片挿入室（１３）へ挿入することにより、該連結片（５）と前記連結片挿入室（１３）の両側テーパ面（１４）間に前記係止部材（１５）（１６）が介在して連結片（５）の抜け外れを阻止するようにしたことを特徴とする連結具。
【請求項３】
一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側をのこぎり刃状の凹凸（６０）に形成し、
前記雌型連結金具（１１）には、前記連結片（５）が挿入する扁平状の連結片挿入室（１３）を、その両側面が奥に向って拡開するテーパ面（１４）にして形成し、該連結片挿入室（１３）の両側には、該室の前記テーパ面（１４）に沿って前後方向に移動する板状の係止部材（１５）（１６）を設け、該係止部材（１５）（１６）の内側面には前記連結片（５）ののこぎり刃状の凹凸（６０）に噛合するのこぎり刃状の凹凸（６１）を形成し、更に、該係止部材（１５）（１６）を前方へ付勢する付勢手段（２１）（２２）を設けて、該雌型連結金具（１１）を扁平状に形成し、
前記雄型連結金具（３）の連結片（５）を雌型連結金具（１１）の連結片挿入室（１３）へ挿入することにより、該連結片（５）と前記連結片挿入室（１３）の両側テーパ面（１４）間に前記係止部材（１５）（１６）が介在して連結片（５）の抜け外れを阻止するようにしたことを特徴とする連結具。
【請求項４】
一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側を、先部に至るにつれて拡幅するテーパ面（８）に形成し、
前記雌型連結金具（１１）には、前記連結片（５）が挿入する扁平状の連結片挿入室（１３）を設け、該連結片挿入室（１３）内の両側には板状の係止部材（１５）（１６）を回転自在に設けるとともにその内側面に前記連結片（５）のテーパ面（８）に係止するテーパ面（１５ａ）（１６ａ）を形成し、
更に、連結片挿入室（１３）内の奥部には板状の作動レバー（９４）（９５）を回動可能に設け、更に前記係止部材（１５）（１６）の背部に挿入するロック片（９７）（９８）を設け、
前記係止部材（１５）（１６）と作動レバー（９４）（９５）とロック片（９７）（９８）との関係を、前記連結片（５）を連結片挿入室（１３）内へ挿入した場合に、連結片（５）によって作動レバー（９４）（９５）が動き、ロック片（９７）（９８）が係止部材（１５）（１６）の背部に挿入されて係止部材（１５）（１６）を閉作動してそのテーパ面（１５ａ）（１６ａ）を連結片（５）のテーパ面（８）に係止させるようにしたことを特徴とする連結具。
【発明の詳細な説明】
【０００１】
【発明の属する技術分野】
本発明は連結具に関すもので、より詳しくは、例えばコンクリート部材相互を連結する場合に、その両部材の接合部に固設して、両コンクリート部材を相互に近接することにより部材相互を連結できる連結具に関する。
【０００２】
【従来の技術】
従来、例えばコンクリート部材などの連結部材相互をボルト及びナットで連結する方式があるが、この方式ではボルトの挿通作業とナットの回転作業が必要であり、狭い場所でのこの作業が困難である上に、多数のボルト及びナットで連結する場合は、その連結に時間がかかり非能率的である。
【０００３】
そのため、ナット内に分割されたセグメントを設け、ボルトを回転することなくナット内へ挿入することで連結できるようにした連結具も提案されている。
【０００４】
【発明が解決しようとする課題】
前記従来のようなセグメントを有するナットと、該ナットに挿通するボルトで構成される連結具においては、例えば大型のコンクリート部材相互を連結する場合には、連結力を高めるためにそのボルト及びナットの直径を大きくする必要がある。このような直径の大きいボルト及びナットを使用するには、連結部材におけるボルト及びナットを埋設的に固設する部分の肉厚を大きくする必要がある。すなわち、連結部材における連結部（接合部）の肉厚を大きくする必要がある。
【０００５】
そのため、連結部材における連結部（接合部）が薄い場合には前記のボルト及びナット方式の連結具が使用できない。
【０００６】
そこで本発明は、連結部材を相互に近接することで容易に連結でき、かつ、薄肉の連結部（接合部）にも設置できる連結具を提供することを目的とするものである。
【０００７】
【課題を解決するための手段】
本発明は前記の課題を解決するために、請求項１記載の第１の発明は、一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側を、先部に至るにつれて拡幅するテーパ面（８）に形成し、
前記雌型連結金具（１１）には、前記連結片（５）が挿入する扁平状の連結片挿入室（１３）を、その両側面が奥に向って拡開するテーパ面（１４）にして形成し、該連結片挿入室（１３）の両側には、該室の前記テーパ面（１４）に沿って前後方向に移動する板状の係止部材（１５）（１６）を設け、更に、該係止部材（１５）（１６）を前方へ付勢する付勢手段（２１）（２２）を設けて、該雌型連結金具（１１）を扁平状に形成し、
前記雄型連結金具（３）の連結片（５）を雌型連結金具（１１）の連結片挿入室（１３）へ挿入することにより、該連結片（５）の両側テーパ面（８）と前記連結片挿入室（１３）の両側テーパ面（１４）間に前記係止部材（１５）（１６）が介在して連結片（５）の抜け外れを阻止するようにしたことを特徴とするものである。
【０００９】
請求項２記載の第２の発明は、一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側をねじ歯様の凹凸（５０）に形成し、
前記雌型連結金具（１１）には、前記連結片（５）が挿入する扁平状の連結片挿入室（１３）を、その両側面が奥に向って拡開するテーパ面（１４）にして形成し、該連結片挿入室（１３）の両側には、該室の前記テーパ面（１４）に沿って前後方向に移動する板状の係止部材（１５）（１６）を設け、該係止部材（１５）（１６）の内側面には前記連結片（５）のねじ歯様の凹凸（５０）に噛合するねじ歯様の凹凸（５１）を形成し、更に、該係止部材（１５）（１６）を前方へ付勢する付勢手段（２１）（２２）を設けて、該雌型連結金具（１１）を扁平状に形成し、
前記雄型連結金具（３）の連結片（５）を雌型連結金具（１１）の連結片挿入室（１３）へ挿入することにより、該連結片（５）と前記連結片挿入室（１３）の両側テーパ面（１４）間に前記係止部材（１５）（１６）が介在して連結片（５）の抜け外れを阻止するようにしたことを特徴とするものである。
【００１０】
請求項３記載の第３の発明は、一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側をのこぎり刃状の凹凸（６０）に形成し、
前記雌型連結金具（１１）には、前記連結片（５）が挿入する扁平状の連結片挿入室（１３）を、その両側面が奥に向って拡開するテーパ面（１４）にして形成し、該連結片挿入室（１３）の両側には、該室の前記テーパ面（１４）に沿って前後方向に移動する板状の係止部材（１５）（１６）を設け、該係止部材（１５）（１６）の内側面には前記連結片（５）ののこぎり刃状の凹凸（６０）に噛合するのこぎり刃状の凹凸（６１）を形成し、更に、該係止部材（１５）（１６）を前方へ付勢する付勢手段（２１）（２２）を設けて、該雌型連結金具（１１）を扁平状に形成し、
前記雄型連結金具（３）の連結片（５）を雌型連結金具（１１）の連結片挿入室（１３）へ挿入することにより、該連結片（５）と前記連結片挿入室（１３）の両側テーパ面（１４）間に前記係止部材（１５）（１６）が介在して連結片（５）の抜け外れを阻止するようにしたことを特徴とするものである。
【００１２】
請求項４記載の第４の発明は、一方の連結部材（１）に固着される雄型連結金具（３）と、他方の連結部材（２）に固着される雌型連結金具（１１）とからなり、前記雄型連結金具（３）には一方の連結部材（１）の接合端面（１ａ）から突出する板状の連結片（５）を有し、かつ、該連結片（５）の両側を、先部に至るにつれて拡幅するテーパ面（８）に形成し、
前記雌型連結金具（１１）には、前記連結片（５）が挿入する扁平状の連結片挿入室（１３）を設け、該連結片挿入室（１３）内の両側には板状の係止部材（１５）（１６）を回転自在に設けるとともにその内側面に前記連結片（５）のテーパ面（８）に係止するテーパ面（１５ａ）（１６ａ）を形成し、
更に、連結片挿入室（１３）内の奥部には板状の作動レバー（９４）（９５）を回動可能に設け、更に前記係止部材（１５）（１６）の背部に挿入するロック片（９７）（９８）を設け、
前記係止部材（１５）（１６）と作動レバー（９４）（９５）とロック片（９７）（９８）との関係を、前記連結片（５）を連結片挿入室（１３）内へ挿入した場合に、連結片（５）によって作動レバー（９４）（９５）が動き、ロック片（９７）（９８）が係止部材（１５）（１６）の背部に挿入されて係止部材（１５）（１６）を閉作動してそのテーパ面（１５ａ）（１６ａ）を連結片（５）のテーパ面（８）に係止させるようにしたことを特徴とするものである。
【００１３】
【発明の実施の形態】
図に示す実施例に基いて本発明の実施の形態について説明する。
【００１４】
図１乃至図３に示す第１実施例について説明する。
【００１５】
図１乃至図３において、１は一方の連結部材、２は他方の連結部材で、これらの連結部材１，２は、例えば相互に連結するコンクリート製品である。
【００１６】
前記一方の連結部材１には金属製の雄型連結金具３が固設されている。該雄型連結金具３は、一方の連結部材１内に埋設される軸部４と、一方の連結部材１の接合側端面１ａより突出する連結片５とからなり、これらがプレス或いは鍛造で一体に形成されている。更に、その軸部４の奥端には両側方へ膨出した係止部６が一体形成されている。更に軸部４の外周には図２に示すように、ゴム等の弾性材料からなる筒状の吸震部材７が嵌合して設けられており、コンクリート部材などの連結部材１内に埋設された軸部４と連結片５が、係止部６側を中心として連結片５側が軸芯Ｘ−Ｘに対して直交する方向へ若干移動できるようになっている。
【００１７】
前記連結片５は、その幅が先に至る程漸次増大するようにその両側面が先に向って外側へ開いたテーパ面８，８に形成され、かつその両テーパ面８，８の先端からは逆に内側へ向って幅が漸次縮小する逆テーパ面９，９に形成されている。
連結片５の基部側の両側には鍔部１０が形成されている。
【００１８】
前記軸部４と連結片５と係止部６は板状に形成され、実施例では図３に示すようにその板厚ｄ1 を約１０ｍｍに設定し、図２に示すように軸部４の幅Ｗ1 を約３０ｍｍに設定し、連結片５の先端拡幅部９ａの幅と鍔部１０の幅Ｗ2 を約４０ｍｍに設定し、更に連結片５の縮幅部９ｂのＷ3 を約２５ｍｍに設定した。なお、軸部４と係止部６は丸棒で形成してもよい。
【００１９】
他方の連結部材２には雌型連結金具１１が、その一端面を他方の連結部材２の接合端面２ａに露出させて埋設されている。
【００２０】
雌型連結金具１１を構成する主体部１２は金属で形成され、その主体部１２には、前記接合端面２ａに開口する矩形の開口部１３ａが形成されている。該開口部１３ａの開口形状は、前記板状の連結片５が一ぱいに挿入できる矩形に形成されている。
【００２１】
前記開口部１３ａの奥部には、連結片挿入室１３が形成されているとともに挿入される連結片５の幅方向における連結片挿入室１３の両内壁面が、奥部に至るについて拡がるテーパ面１４，１４に形成されている。また、このテーパ面１４，１４の軸芯Ｘ−Ｘに対する傾斜角と、前記連結片５のテーパ面８，８の軸芯Ｘ−Ｘに対する傾斜角との関係は、その後者よりも前者の方が大きく設定されている。
【００２２】
更に、連結片挿入室１３は、これに連結片５を図２に示すように挿入した場合に連結片５のテーパ面８と連結片挿入室１３のテーパ面１４との間に、後述の係止部材１５，１６が介在する空間と、この空間の奥部に位置して係止部材１５，１６が後退できる空間１７，１８とを有する。また、前記の連結片挿入室１３は、連結片５の板厚ｄ1 の寸法とほぼ同様の寸法の扁平な空間に形成されている。
【００２３】
前記連結片挿入室１３内の両側部には、前記開口部１３ａ側が縮径する楔状の係止部材１５，１６が、テーパ面１４に沿って進退自在に備えられている。この係止部材１５，１６は、これに形成した案内長穴１９に主体部１２側の案内ピン２０を挿入して、テーパ面１４に沿って移動するようになっている。更に、該係止部材１５，１６は金属の平板で形成されている。
【００２４】
前記空間１７，１８内には付勢手段であるスプリング２１，２２が収納され、前記の係止部材１５，１６を常時開口部１３ａ方向へ付勢している。
【００２５】
前記雌型連結具１１は、図１及び図３に示すように、前記の空間１３，１７，１８を形成する凹部を内面に形成した２枚の金属製の表裏板２３，２４を重合して、これらをビス２５で固定して板状（扁平）に形成されている。
【００２６】
また、雌型連結具１１は、その主体部１２の外形を図１及び図２に示すように略ハの字形にして、連結部材２から抜けないようにしている。
【００２７】
次に前記実施例の連結作動について説明する。
【００２８】
先ず、雄型連結金具３が一方のコンクリート製の連結部材１に埋設的に固着され、雌型連結金具１１が他方のコンクリート製の連結部材２に埋設的に固着され、これら両連結部材１，２が相互に分離している状態、すなわち図１に示すように連結片５が雌型連結金具１１より抜けている状態からの連結について説明する。
【００２９】
両連結部材１，２を相互に近接して連結片５を開口部１３ａから挿入すると、先ず、図１に示す位置にある係止部材１５，１６の先細側先端部に連結片５の逆テーパ面９が当って係止部材１５，１６がスプリング２１，２２の付勢力に抗して奥部へ移動する。この係止部材１５，１６の移動は案内長穴１９とピン２０によってテーパ面１４に沿って移動し、両係止部材１５，１６の対向間距離が漸次長く（広く）なる。
【００３０】
そして、連結片５が図２の位置まで挿入され、両係止部材１５，１６における先細側先端部の対向間距離が連結片５の先端拡幅部９ａの幅寸法より広くなると、両係止部材１５，１６はスプリング２１，２２の付勢力によって開口部１３ａ側へ押し移動され、図２の位置へ進出する。これにより、両係止部材１５，１６が主体部１２のテーパ面１４と連結片５のテーパ面８との間に楔のように介在し、連結片５の抜けを確実に阻止し、両連結部材１，２が連結される。
【００３１】
したがって、両連結部材１，２を連結する際には、連結片５を開口部１３ａの前部に位置させて両連結部材１，２を相対的に近接させるのみでよく、ボルト及びナットを使用する連結に比べて連結作業が容易に行える。
【００３２】
また、雄型連結金具３と雌型連結金具１１は共に図１及び図３に示すように板状に扁平に形成されているため、これら両連結金具３，１１を薄い連結部材１，２に埋設して薄い部材の相互の連結に使用でき、また、連結部材を薄肉の部分で連結したい場合にも適用できる。
【００３３】
図４は第２実施例を示す。
【００３４】
本第２実施例は、雌型連結金具１１を、前記の連結片挿入室１３などの室に該当する部分を欠除した中板３０と、表裏板３１，３２の３枚の金属板を重合して形成したものである。
【００３５】
その他の構造は前記実施例と同様であるため、同一部分には同一符号を付してその説明を省略する。
【００３６】
本第２実施例においても前記第１実施例と同様の作用、効果を奏する。
【００３７】
図５及び図６は第３実施例を示す。
【００３８】
本第３実施例は、雌型連結金具１１の連結部材２への固着手段の変形例で、雌型連結金具１１の後部に止着用ボルト４０を螺着固定し、その止着用ボルト４０の頭部４１をコンクリートなどの連結部材２に埋設係合することにより、雌型連結金具１１を連結部材２に固着するようにしたものである。また、雄型連結金具３側の係止部６もナットと座板で形成したものである。
【００３９】
その他の構造は前記第１実施例と同様であるため、同様の部分に前記第１実施例と同一の符号を付してその説明を省略する。
【００４０】
図７は第４実施例を示す。
【００４１】
本第４実施例は前記第１実施例における係止部材１５，１６を楔型とせず方形状の板材とし、かつ連結片５のテーパ面８を主体部１２のテーパ面１４と略平行に形成したものである。その他の構造は前記第１実施例と同様であるため、同一部分には同一符号を付してその説明は省略する。
【００４２】
本第２実施例においても前記第１実施例と同様の作用、効果を奏する。
【００４３】
図８は第５実施例を示す。
【００４４】
本第５実施例は、前記第１実施例における雄型連結金具３の連結片５と雌型連結金具１１の係止部材１５，１６の変形例で、前記連結片５のテーパ面８の代わりに図８のようなねじ歯様の凹凸５０を形成し、前記係止部材１５，１６の内側テーパ面の代わりに、前記凹凸５０に噛合するねじ歯様の凹凸５１を形成したものである。
【００４５】
その他の構造は前記第１実施例と同様であるため、前記と同一部分には同一符号を付してその説明を省略する。
【００４６】
本第５実施例においても前記第１実施例と同様の作用、効果を奏するが、特に連結片５と係止部材１５，１６との係止が高くなる。
【００４７】
図９は第６実施例を示す。
【００４８】
本第６実施例は、前記第５実施例における凹凸部５０，５１を、のこぎり刃様の凹凸部６０，６１に形成したものである。
【００４９】
その他の構造は前記第１実施例と同様であるため、前記と同一部分には同一符号を付してその説明を省略する。
【００５０】
本第６実施例においても前記第５実施例と同様の作用、効果を奏する。
【００５１】
図１０は第７実施例を示す。
【００５２】
本第７実施例は、前記各実施例のコイルスプリングの代わりに板ばねを使用したものである。
【００５３】
すなわち、前記の係止部材１５，１６の後端に円弧状の板ばね７１の一端を固着して備え、該板ばね７１の他端を前記の連結片５に係合するようにしたものである。また、雌型連結金具１１側には前記板ばね７１に係合する係合部材７２が図のように設けられている。
【００５４】
その他の構造は前記第４実施例（図７）と同様であるため、前記と同一部分には同一符号を付してその説明を省略する。
【００５５】
本第７実施例においては、その板ばね７１が前記実施例のスプリング２１，２２と同様の作用をし、前記実施例と同様の作用、効果が得られる。
【００５６】
図１１は第８実施例を示す。
【００５７】
本第８実施例は、前記第７実施例における連結片５の形状を略円板状にし、これに係合する両係止部材１５，１６を円弧状に形成したものである。
【００５８】
本第８実施例においても、前記第７実施例と同様の作用、効果を奏する。
【００５９】
なお、前記の各実施例におけるスプリング２１，２２、板ばね７１の代わりにゴムなどの弾性材を使用してもよい。
図１２は第９実施例を示す。
【００６０】
本第９実施例は、前記各実施例のような移動する係止部材１５，１６及びスプリング２１，２２（板ばね７１）を設けないで連結するようにしたものである。
【００６１】
すなわち、雄型連結金具３の連結片５の両側に図のような膨出部８１を形成し、中央部に先端が開口するように切断されたスリット８２を形成している。また、雌型連結金具１１には、先部が拡開するテーパ状の開口部１３ａが形成され、その奥部に突部８３からなる狭搾部８４と、その奥部の両側に位置して形成した拡幅空間８５からなる連結片挿入室８６が形成され、奥部中央部に楔状の突部８７が形成されている。そして、図１２のような分離状態から連結片５を開口部１３ａより挿入すると、連結片５は、その膨出部８１が突部８３に当ってスリット８２側へ変形して縮小しながら進入し、その後、スリット８２に突部８３が食い込み、両膨出部８１，８１が両側拡幅空間８５，８５内に拡開する。これにより、両膨出部８１，８１が突部８３，８３に係止してピン５の抜けが阻止され、雄型連結金具３と雌型連結金具１１とが連結される。
【００６２】
本第９実施例における連結片５も前記実施例と同様に金属の平板で形成され、また、雌型連結金具１１も前記実施例と同様に扁平に形成されている。
【００６３】
本第９実施例においても前記実施例と同様の効果を奏する。
【００６４】
図１３は第１０実施例を示す。
【００６５】
本第１０実施例は、前記第９実施例における連結片５の膨出部８１と雌型連結金具１１の連結片挿入室８６及び拡幅空間８５の形状を図のように変形したものである。
【００６６】
本第１０実施例においても前記第９実施例と同様の作用、効果を奏する。
【００６７】
なお、前記図１０乃至図１３に示す実施例においても連結片挿入室１３，８６の表裏は、前記実施例と同様に閉塞されている。
【００６８】
図１４及び図１５は第１１実施例を示す。
【００６９】
本第１１実施例において、一方の連結部材１には雄型連結金具３が、その基部側を埋設して固設され、該雄型連結金具３には一方の連結部材１の接合端面１ａより突出する連結片５が設けられている。連結片５は金属製で板状に形成され、その両側を先部に至るにつれて拡幅するテーパ面８に形成するとともに先端に係合部９１が一体形成されている。
【００７０】
他方の連結部材２には雌型連結金具１１が、その開口部１３ａを他方の連結部材２の接合端面２ａに開口して埋設されている。前記開口部１３ａの奥部における主体部１２内には連結片挿入室１３が形成されている。該連結片挿入室１３内には、その両側に位置して一対の係止部材１５，１６が、ピン９２を中心として回動可能に対向して備えられている。該係止部材１５，１６は板状に形成されているとともにその内側に、前記連結片５側のテーパ面８に係止するテーパ面１５ａ，１６ａが形成されている。
【００７１】
連結片挿入室１３の奥部両側には、ピン９３を中心として回動する一対の板状の作動レバー９４，９５が備えられており、該両作動レバー９４，９５には長穴９６が形成されている。
【００７２】
前記係止部材１５，１６の背面１５ｂ，１６ｂと主体部１２の内面１２ａ間にはロック片９７，９８が摺動可能に配置されており、該ロック片９７，９８に設けたピン９９が前記作動レバー９４，９５の長穴９６に遊嵌されている。
【００７３】
以上の構成によって、雌型連結金具１１は扁平状に形成されている。また、連結片挿入室１３の表裏は前記実施例と同様に閉塞されている。
【００７４】
本第１１実施例の作用について説明する。
【００７５】
図１４に示すように、下方に位置する雌型連結金具１１の一対の係止部材１５，１６が図のように開いた状態で、ロック片９７，９８が自重で下降し、作動レバー９４，９５が図のように倒れている状態において、連結部材１とともに雄型連結金具３を下降させてその連結片５を雌型連結金具１１の開口部１３ａから挿入すると、その連結片５が連結片挿入室１３内を下降し、その先端の係合部９１が作動レバー９４，９５の内側端部９４ａ，９５ａを下方へ押し移動する。
【００７６】
これにより、作動レバー９４，９５は夫々ピン９３を中心として回動し、長穴９６とピン９９の係合により、両ロック片９７，９８を押し上げる。両ロック片９７，９８が上昇すると、図１４の状態にあった両係止部材１５，１６が両ロック片９７，９８に押されてピン９２を中心として上側が内方へ移動するように閉じ回動し、そのテーパ面１５ａ，１６ａが、前記のように下降した連結片５のテーパ面８部に図１５に示すように嵌合係止する。また、両ロック片９７，９８は、主体部１２と係止部材１５，１６間に圧入されてその自重での落下が阻止されるため、両係止部材１５，１６の閉状態が保持される。
【００７７】
したがって、両連結部材１，２、すなわち雄型連結金具３と雌型連結金具１１に、相互に離間する方向に力が作用しても連結片５が両係止部材１５，１６に係止して両部材１，２の離間が阻止される。
【００７８】
【発明の効果】
以上のようであるから、本発明の連結具を連結部材に固設することにより、一方の連結部材を他方の部材に近接するのみで両部材を連結でき、連結作業が容易になる。
【００７９】
更に、雄型連結金具と雌型連結金具を扁平状に形成したので、薄肉の連結部材或いは連結部（接合部）が薄肉の場合にも本発明の連結具を使用して連結できる特長がある。
【図面の簡単な説明】
【図１】本発明の第１実施例を示す斜視図。
【図２】図１の平面図で、雌型連結金具の表板を外した図。
【図３】図１の側面図。
【図４】本発明の第２実施例を示す斜視図。
【図５】本発明の第３実施例を示す平面図で、雌型連結金具の表板を外した図。
【図６】図５の側面図。
【図７】本発明の第４実施例を示す平面図で、雌型連結金具の表板を外した図。
【図８】本発明の第５実施例を示す斜視図。
【図９】本発明の第６実施例を示す斜視図。
【図１０】本発明の第７実施例を示す平面図で、雌型連結金具の表板を外した図。
【図１１】本発明の第８実施例を示す平面図で、雌型連結金具の表板を外した図。
【図１２】本発明の第９実施例を示す平面図で、雌型連結金具の表板を外した図。
【図１３】本発明の第１０実施例を示す平面図で、雌型連結金具の表板を外した図。
【図１４】本発明の第１１実施例を示す分離状態の平面図で、雌型連結金具の表板を外した図。
【図１５】図１４の実施例における連結状態を示す平面図で、雌型連結金具の表板を外した図。
【符号の説明】
１，２        連結部材
１ａ，２ａ    接合端面
３            雄型連結金具
５            連結片
８，１４      テーパ面
１１          雌型連結金具
１３          連結片挿入室
１５，１６    係止部材
２１，２２，７１    付勢手段
５０，５１，６０，６１    凹凸
８１          膨出部
８２          スリット
８５          拡幅空間
８６          連結片挿入室
８７          突部
９４，９５    作動レバー
９７，９８    ロック片
【図１】
0004628515.tif 000002
【図２】
0004628515.tif 000003
【図３】
0004628515.tif 000004
【図４】
0004628515.tif 000005
【図５】
0004628515.tif 000006
【図６】
0004628515.tif 000007
【図７】
0004628515.tif 000008
【図８】
0004628515.tif 000009
【図９】
0004628515.tif 000010
【図１０】
0004628515.tif 000011
【図１１】
0004628515.tif 000012
【図１２】
0004628515.tif 000013
【図１３】
0004628515.tif 000014
【図１４】
0004628515.tif 000015
【図１５】
0004628515.tif 000016